(57)【要約】【課題】作業効率の向上および作業時間の短縮を図ることができ、製造が容易な植生体を提供する。【解決手段】複数の管１１，１２，１３，１４は、生分解性材料から成り、それぞれ並列に配置されて側面で結合している。複数の管１１，１２，１３，１４は、種子１５と植物成長用土壌混入物１６，１７，１８とを互いに異なる管１１，１２，１３，１４に収容している。複数の管１１，１２，１３，１４のうち少なくとも１つは、水を内部に供給可能である。【選択図】図１
2005143342.tif 000002
【特許請求の範囲】
【請求項１】
生分解性材料から成りそれぞれ並列に配置されて側面で結合した複数の管と、
前記複数の管は種子と植物成長用土壌混入物とを互いに異なる管に収容してあり、
前記複数の管のうち少なくとも１つは前記生分解性材料の分解促進剤を内部に供給可能であることを、
特徴とする植生体。
【請求項２】
前記複数の管は側面に凹部および凸部を有し、前記凹部および前記凸部により隣り合う管と結合していることを、特徴とする請求項１記載の植生体。
【請求項３】
前記分解促進剤は水から成り、前記分解促進剤を内部に供給可能な管は吸水膨張剤を収容してあることを、特徴とする請求項１または２記載の植生体。
【請求項４】
前記分解促進剤を内部に供給可能な管は前記吸水膨張剤が吸水して膨張するとき破裂させるための破裂用切込みを隣り合う管との間に有することを、特徴とする請求項３記載の植生体。
【発明の詳細な説明】
【技術分野】
【０００１】
本発明は、種子の植え付けをおこなうための植生体に関する。
【背景技術】
【０００２】
従来の植生体として、生分解性樹脂から成る２層以上の構造の複層管の内部に、肥料成分を含む発泡材または保水ゲルを充填し、多数の孔を設けて成るものがある（例えば、特許文献１参照）。従来の植生体は、樹木の間に埋設し肥料を与えるために用いられる。
【０００３】
【特許文献１】特開２００２−３４８８７７号公報
【発明の開示】
【発明が解決しようとする課題】
【０００４】
しかしながら、従来の植生体は、施肥の時期に合わせて埋設作業を行う必要があるため、作業の時期が施肥を必要とする時期に集中し、多忙期と閑散期とに分かれ、作業効率が悪いという課題があった。また、種まき作業と施肥作業とを別々に行っているため、双方に相応の作業時間を要し、作業時間の短縮を図ることができないという課題もあった。さらに、複層管であるため、単管の場合に比べて製造が困難であるという課題もあった。
【０００５】
本発明は、このような従来の課題に着目してなされたもので、作業効率の向上および作業時間の短縮を図ることができ、製造が容易な植生体を提供することを目的としている。
【課題を解決するための手段】
【０００６】
上記目的を達成するために、本発明に係る植生体は、生分解性材料から成りそれぞれ並列に配置されて側面で結合した複数の管と、前記複数の管は種子と植物成長用土壌混入物とを互いに異なる管に収容してあり、前記複数の管のうち少なくとも１つは前記生分解性材料の分解促進剤を内部に供給可能であることを、特徴とする。
【０００７】
本発明に係る植生体は、土壌等に埋めて使用される。本発明に係る植生体は、分解促進剤を内部に供給可能な管に分解促進剤を供給することにより、その管を溶かすことができる。このため、任意の時期にその管を溶かして、内部の種子を発芽、成長させたり、内部の植物成長用土壌混入物を外部の土壌等に供給したりすることができる。各管は生分解性材料から成るため、自然界の土壌や水中の微生物により分解され、廃棄物処理の労力およびコストを必要としない。
【０００８】
本発明に係る植生体は、田畑を移動しながら作業を行わなくても、埋設作業後、一箇所で分解促進剤を供給することにより、埋設した広い範囲で同時期に容易に種子の発芽や植物成長用土壌混入物の供給を行うことができる。また、種子と植物成長用土壌混入物とを含むため、埋設作業により種まき作業と施肥等の作業とを同時に行うことができ、作業時間の短縮を図ることができる。さらに、分解促進剤の供給により発芽や土壌への供給作業を開始することができるので、一定時期に集中して埋設作業を行う必要がなく、作業時期を分散させて作業効率の向上を図ることができる。
【０００９】
本発明に係る植生体は、複数の管がそれぞれ並列に配置されて側面で結合しており、構造が簡単で、製造が容易である。なお、各管の結合には、生分解性の接着剤を用いてもよい。この場合、接着剤も自然界の土壌や水中の微生物により分解される。
【００１０】
生分解性材料としては、例えば、デンプンを材料とする生分解プラスチックを用いることができる。植物成長用土壌混入物とは、化学肥料・天然肥料・複合肥料などの肥料類および、除草剤・防虫剤・防除剤・植物育成剤・植物ホルモン剤・土壌改良材・発芽抑制剤などの植物成長用薬剤類を意味する。種子は、管の内部に所定の間隔をおいて複数収容されていることが好ましい。また、各管は、それぞれ生分解速度が異なっていてもよい。この場合、各管に生分解により肥料となる材料を用いて、肥料効果の持続性を高めることができる。
【００１１】
本発明に係る植生体で、前記複数の管は側面に凹部および凸部を有し、前記凹部および前記凸部により隣り合う管と結合していてもよい。この凹部および凸部は、着脱可能であることが好ましい。この場合、管の本数を任意に増減して使用することができる。なお、凹部は細長い溝から成り、凸部は細長い突条から成ることが好ましい。凹部および凸部は、１本の管の側面に並列に複数設けられていてもよい。
【００１２】
本発明に係る植生体で、前記分解促進剤は水から成り、前記分解促進剤を内部に供給可能な管は吸水膨張剤を収容してあってもよい。この吸水膨張剤を収容している場合、分解促進剤を内部に供給可能な管に送水したとき、吸水膨張剤が水を吸収して膨張し、その管に圧力を加える。このため、送水時期に合わせて、その管を破裂させ、内部の種子を発芽、成長させたり、植物成長用土壌混入物を周囲の土壌等に供給したりすることができる。
【００１３】
また、吸水膨張剤を収容している場合、前記分解促進剤を内部に供給可能な管は前記吸水膨張剤が吸水して膨張するとき破裂させるための破裂用切込みを隣り合う管との間に有していてもよい。この破裂用切込みを有する場合、吸水膨張剤が吸水して分解促進剤を内部に供給可能な管が膨張するとき、破裂用切込みによりその管を容易に破裂させることができる。また、破裂用切込みの位置で破裂するため、隣り合う管との間で破裂させる位置や方向を任意に設定することができる。
【発明の効果】
【００１４】
本発明によれば、作業効率の向上および作業時間の短縮を図ることができ、製造が容易な植生体を提供することができる。
【発明を実施するための最良の形態】
【００１５】
以下、図面に基づき、本発明の実施の形態について説明する。
図１は、本発明の第１の実施の形態の植生体を示している。
図１に示すように、植生体１０は、４つの管１１，１２，１３，１４と種子１５と元肥１６と追肥１７と殺菌剤１８とを有している。
【００１６】
各管１１，１２，１３，１４は、デンプンを材料とする水溶性の生分解プラスチックから成る。その生分解プラスチックは、土壌中に埋めたときには、土壌中の水分によりゆっくり時間をかけて溶け、自然界の土壌や水中の微生物により分解される性質を有している。
【００１７】
各管１１，１２，１３，１４は、同じ形状を有しており、横断面がほぼ円形である。各管１１，１２，１３，１４は、それぞれ並列に配置され、生分解性の接着剤により側面で結合されている。各管１１，１２，１３，１４は、水を内部に供給可能である。水は、各管１１，１２，１３，１４に対し、生分解性材料の分解促進剤として機能する。
【００１８】
種子１５は、管１２の内部に所定の間隔をおいて複数収容されている。種子１５は、例えば、イネなどの穀物類・キャベツやほうれん草などの野菜類・芋類・豆類などの作物の種子や、園芸用の花の種子である。
【００１９】
元肥１６は、管１１の内部に収容されている。元肥１６は、遅効性の有機肥料から成る。
追肥１７は、管１３の内部に収容されている。追肥１７は、即効性の化成肥料から成る。
なお、元肥１６には遅効性または緩効性の肥料、追肥１７には即効性の肥料を使用するのが好ましい。元肥１６および追肥１７は、有機肥料や化成肥料など、いかなる肥料を使用しても良い。
【００２０】
殺菌剤１８は、管１４の内部に収容されている。殺菌剤１８は、いもち病やうどんこ病などの病害に効果的な、土壌混和用のものから成る。
【００２１】
次に、作用について説明する。
植生体１０は、田畑の土壌に埋めて使用される。植生体１０を埋めた後、種子１５の発芽時期の前に管１１の内部に水を供給する。これにより、管１１を溶かし、管１１の内部に収容されている元肥１６を外部の土壌に供給することができる。次に、種子１５の発芽時期に合わせて管１２の内部に水を供給する。これにより、管１２を溶かし、管１２の内部に収容されている種子１５を外部の土壌に供給し、種子１５を発芽、成長させることができる。
【００２２】
種子１５の発芽や成長に合わせて追肥１７を行う場合には、管１３の内部に水を供給する。これにより、管１３を溶かし、管１３の内部に収容されている追肥１７を外部の土壌に供給することができる。また、作物に病害が発生した場合には、管１４の内部に水を供給する。これにより、管１４を溶かし、管１４の内部に収容されている殺菌剤１８を外部の土壌に供給することができる。
【００２３】
このように、植生体１０は、各管１１，１２，１３，１４に水を供給することにより、それぞれの管１１，１２，１３，１４を溶かすことができる。このため、任意の時期にそれぞれの管１１，１２，１３，１４を溶かして、内部の元肥１６、追肥１７および殺菌剤１８を外部の土壌等に供給するとともに種子１５を発芽、成長させることができる。各管１１，１２，１３，１４は生分解性材料から成るため、溶けた後には自然界の土壌や水中の微生物により分解され、廃棄物処理の労力およびコストを必要としない。また、各管１１，１２，１３，１４を結合している接着剤も生分解性であるため、自然界の土壌や水中の微生物により分解される。
【００２４】
植生体１０は、田畑を移動しながら作業を行わなくても、埋設作業後、一箇所で各管１１，１２，１３，１４に水を供給することにより、埋設した広い範囲で同時期に容易に種子１５の発芽や元肥１６、追肥１７または殺菌剤１８の供給を行うことができる。植生体１０は、種子１５、元肥１６、追肥１７および殺菌剤１８を含むため、埋設作業により種まき作業と施肥等の作業とを同時に行うことができ、作業時間の短縮を図ることができる。また、水の供給により発芽と土壌への供給作業とを開始することができるので、一定時期に集中して埋設作業を行う必要がなく、作業時期を分散させて作業効率の向上を図ることができる。
植生体１０は、４つの管１１，１２，１３，１４がそれぞれ並列に配置されて側面で結合しており、構造が簡単で、製造が容易である。
【００２５】
図２は、本発明の第２の実施の形態の植生体２０を示している。
図２に示すように、植生体２０は、４つの管２１，２２，２３，２４と籾２５と肥料２６と除草剤２７と殺菌剤２８と吸水膨張剤（図示せず）とを有している。
【００２６】
各管２１，２２，２３，２４は、デンプンを材料とする水溶性の生分解プラスチックから成る。その生分解プラスチックは、土壌中に埋めたときには、土壌中の水分によりゆっくり時間をかけて溶け、自然界の土壌や水中の微生物により分解される性質を有している。
【００２７】
各管２１，２２，２３，２４は、同じ形状を有しており、横断面がほぼ円形である。各管２１，２２，２３，２４は、中心軸に対して対称な位置の側面に、互いに嵌合可能な溝状の凹部２１ａ，２２ａ，２３ａ，２４ａおよび突条の凸部２１ｂ，２２ｂ，２３ｂ，２４ｂを有している。凹部２１ａ，２２ａ，２３ａ，２４ａおよび凸部２１ｂ，２２ｂ，２３ｂ，２４ｂは、互いに着脱可能である。各管２１，２２，２３，２４は、それぞれ並列に配置され、凹部２１ａ，２２ａ，２３ａ，２４ａおよび凸部２１ｂ，２２ｂ，２３ｂ，２４ｂが隣り合う管２１，２２，２３，２４の凸部または凹部と嵌合して結合している。各管２１，２２，２３，２４は、水を内部に供給可能である。水は、生分解性材料の分解促進剤として機能する。
【００２８】
籾２５は、管２１の内部に所定の間隔をおいて複数収容されている。
肥料２６は、管２２の内部に収容されている。肥料２６は、即効性の化成肥料から成る。肥料２６は、有機肥料や化成肥料など、いかなる肥料を使用しても良い。
除草剤２７は、管２４の内部に所定の間隔をおいて複数収容されている。除草剤２７は、選択性の土壌処理剤から成る。
殺菌剤２８は、管２３の内部に収容されている。殺菌剤２８は、いもち病やうどんこ病などの病害に効果的な、土壌混和用のものから成る。
吸水膨張剤は、各管２１，２２，２３，２４の内面に沿って収容されている。なお、吸水膨張剤２７は、吸水剤と膨張剤とに分かれていてもよい。この場合、膨張剤をマイクロカプセルに収容しておき、全ての吸水剤に水が吸収されてから膨張剤が遅れて作用するようにすることが好ましい。これにより、植生管を畑で使用したとき、送水側近くで外管２１が破裂してその破裂箇所より先に水が行き渡らなくなるのを防ぐことができる。
【００２９】
次に、作用について説明する。
植生体２０は、田畑の土壌に埋めて使用される。植生体２０を埋めた後、籾２５の発芽時期の前に管２４の内部に送水する。このとき、管２４の内部に収容されている吸水膨張剤が、水を吸収して膨張し、管２４に圧力を加え、管２４を破裂させる。これにより、管２４の内部に収容されている除草剤２７を外部の土壌に供給し、発芽前に除草を行うことができる。
【００３０】
次に、籾２５の発芽時期に合わせて管２１の内部に送水する。このとき、管２１の内部に収容されている吸水膨張剤が、水を吸収して膨張し、管２１に圧力を加え、管２１を破裂させる。これにより、管２１の内部に収容されている籾２５を外部の土壌に供給し、イネの苗を発芽、成長させることができる。このため、従来苗代で苗を発芽させ、田植えを行っていた場合に比べ、手間を省くことができる。
【００３１】
苗の発芽や成長に合わせて施肥を行う場合には、管２２の内部に送水する。このとき、管２２の内部に収容されている吸水膨張剤が、水を吸収して膨張し、管２２に圧力を加え、管２２を破裂させる。これにより、管２２の内部に収容されている肥料２６を外部の土壌に供給することができる。また、作物に病害が発生した場合には、管２３の内部に送水する。このとき、管２３の内部に収容されている吸水膨張剤が、水を吸収して膨張し、管２３に圧力を加え、管２３を破裂させる。これにより、管２３の内部に収容されている殺菌剤２８を外部の土壌に供給することができる。
【００３２】
このように、植生体２０は、各管２１，２２，２３，２４に送水することにより、吸水膨張剤が水を吸収して膨張し、それぞれの管２１，２２，２３，２４に圧力を加える。このため、送水時期に合わせて、それぞれの管２１，２２，２３，２４を破裂させ、肥料２６、除草剤２７および殺菌剤２８を周囲の土壌等に供給するとともにイネの苗を発芽、成長させることができる。各管２１，２２，２３，２４は生分解性材料から成るため、溶けた後には自然界の土壌や水中の微生物により分解され、廃棄物処理の労力およびコストを必要としない。
【００３３】
また、植生体２０は、田畑を移動しながら作業を行わなくても、埋設作業後、一箇所で各管２１，２２，２３，２４に送水することにより、埋設した広い範囲で同時期に容易に苗の発芽や肥料２６、除草剤２７または殺菌剤２８の供給を行うことができる。植生体２０は、籾２５、肥料２６、除草剤２７および殺菌剤２８を含むため、埋設作業により田植え作業と施肥等の作業とを同時に行うことができ、作業時間の短縮を図ることができる。また、送水により発芽と土壌への供給作業とを開始することができるので、一定時期に集中して埋設作業を行う必要がなく、作業時期を分散させて作業効率の向上を図ることができる。
【００３４】
植生体２０は、４つの管２１，２２，２３，２４がそれぞれ並列に配置されて側面で結合しており、構造が簡単で、製造が容易である。また、各管２１，２２，２３，２４の凹部２１ａ，２２ａ，２３ａ，２４ａおよび凸部２１ｂ，２２ｂ，２３ｂ，２４ｂが着脱可能であるため、管２１，２２，２３，２４の本数を任意に増減して使用することができる。
【００３５】
なお、図３に示すように、植生体１０は、各管１１，１２，１３，１４が一体成形により一体に構成されていてもよい。この場合、田畑に埋設するときの取扱いが容易である。
【００３６】
また、図４に示すように、植生体１０は、隣り合う管同士を所定の間隔で結合させる結合部材１９を有していてもよい。この場合、全ての管１１，１２，１３，１４を結合部材１９により一つにまとめて田畑に埋設することができる。結合部材１９は、生分解性材料から成ることが好ましい。
【図面の簡単な説明】
【００３７】
【図１】本発明の第１の実施の形態の植生体を示す断面斜視図である。
【図２】本発明の第２の実施の形態の植生体を示す断面斜視図である。
【図３】図１に示す植生体の第１の変形例を示す断面斜視図である。
【図４】図１に示す植生体の第２の変形例を示す断面斜視図である。
【符号の説明】
【００３８】
１０  植生体
１１，１２，１３，１４  管
１５  種子
１６  元肥
１７  追肥
１８  殺菌剤
【図１】
2005143342.tif 000003
【図２】
2005143342.tif 000004
【図３】
2005143342.tif 000005
【図４】
2005143342.tif 000006